(57)【要約】【課題】  ペンやケースに設けることができて使用、携帯し易く、取り出し易い付箋紙座を提供する。【解決手段】ケースと、底板とを含んでなり、ケースは、中空で開口と、その周辺の適宜な位置に設けられた接続部と、取り出し口とを設けてなり、該取り出し口は内部に設けられた付箋紙を取り出すための経路として供し、底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設する。【選択図】  図１
0003164410.tif 000002
【実用新案登録請求の範囲】
【請求項１】
ケースと、底板とを含んでなり、
該ケースは、中空で開口と、その周辺の適宜な位置に設けられた接続部と、取り出し口とを設けてなり、該取り出し口は内部に設けられた付箋紙を取り出すための経路として供し、
該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設することを特徴とする付箋紙座。
【請求項２】
前記接続部が、複数のセットで、上下に間隔を空けて、位置をたがえて排列して設けられた長方形の凸ブロックからなることを特徴とする請求項１に記載の付箋紙座。
【請求項３】
前記底板が、一面の長手方向に円弧状の接続面を凹設し、表面に粘着材を塗布することを特徴とする請求項１に記載の付箋紙座。
【請求項４】
前記底板が、一面の長手方向に円弧状の接続面を凹設し、表面に両面粘着材を塗布することを特徴とする請求項１に記載の付箋紙座。
【考案の詳細な説明】
【技術分野】
【０００１】
この考案は、付箋紙座に関し、特にメモを書いて着脱自在で好みの場所に貼着することのできる付箋紙を設ける付箋紙座に関する。
【背景技術】
【０００２】
通常、文書作業で使用する付箋紙は、メモ、標記、記事、伝言などの目的で、使用者の目線の位置にどこにでも貼着して、注意を催す目的を達成することができ、非常に便利である。
【０００３】
また、付箋紙は異なる形状やサイズ、色などに形成して使用上、注意を催す視覚的な効果を具えてなる。
【０００４】
しかしながら、これらの付箋紙の多くは、単一の付箋紙か、或いは付箋紙座に接続している。
【０００５】
室内での文書作業では通常、各種様々な付箋紙が必要になる。よって、使用効率を上げるため常に付箋紙を準備しておく必要があるが、付箋紙を分散して置くことは使用上不便だった。
【０００６】
また、従来の付箋紙では携帯すると、見つかりにくく、気分が乱れ、作業効率にも影響を与える。
【考案の概要】
【考案が解決しようとする課題】
【０００７】
この考案は、ペンやケースに設けることができて使用、携帯し易く、取り出し易い付箋紙座を提供することを課題とする。
【課題を解決するための手段】
【０００８】
そこで、本考案者は従来の技術に見られる欠点に鑑みて鋭意研究を重ねた結果、ケースと、底板とを含んでなり、
該ケースは、中空で開口と、その周辺の適宜な位置に設けられた接続部と、取り出し口とを設けてなり、該取り出し口は内部に設けられた付箋紙を取り出すための経路として供し、
該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設する付箋紙座によって課題を解決できる点に着眼し、かかる知見に基づいて本考案を完成させた。
【０００９】
以下、この考案について具体的に説明する。
請求項１に記載の付箋紙座は、ケースと、底板とを含んでなり、
該ケースは、中空で開口と、その周辺の適宜な位置に設けられた接続部と、取り出し口とを設けてなり、該取り出し口は内部に設けられた付箋紙を取り出すための経路として供し、
該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設する。
【００１０】
請求項２に記載の付箋紙座は、請求項１における接続部が、複数のセットで、上下に間隔を空けて、位置をたがえて排列して設けられた長方形の凸ブロックからなる。
【００１１】
請求項３に記載の付箋紙座は、請求項１における底板が、一面の長手方向に円弧状の接続面を凹設し、表面に粘着材を塗布する。
【００１２】
請求項４に記載の付箋紙座は、請求項１における底板が、一面の長手方向に円弧状の接続面を凹設し、表面に両面粘着材を塗布する。
【考案の効果】
【００１３】
この考案による付箋紙座は、実用的で、携帯にも便利であるという効果を有する。
【図面の簡単な説明】
【００１４】
【図１】この考案の付箋紙座を示した斜視図である。
【図２】この考案の付箋紙座を示した分解図である。
【図３】この考案の付箋紙座を組み合わせた状態を示した説明図である。
【図４】この考案の付箋紙座の使用状態を示した説明図である。
【図５】この考案の付箋紙座を他の使用状態を示した説明図である。
【考案を実施するための形態】
【００１５】
この考案は、ペンやケースに設けることができて使用、携帯し易く、取り出し易い付箋紙座であって、ケースと、底板とを含んでなり、
該ケースは、中空で開口と、その周辺の適宜な位置に設けられた接続部と、取り出し口とを設けてなり、該取り出し口は内部に設けられた付箋紙を取り出すための経路として供し、
該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設する付箋紙座の構造と特徴を詳述するために具体的な実施例を挙げ、図示を参照にして以下に説明する。
【実施例】
【００１６】
図１、図２には、この考案の付箋紙座を示したものである。
【００１７】
該付箋紙座は、一面に開口を具えたケース１と、開口に接続して設ける底板２と、ケース１と底板２との間に形成された空間に設ける引き出し式の付箋紙３とを含んでなる。
【００１８】
該ケース１は、長方形で、両端が円弧状に形成され、設置空間１０と、開口とを具えてなる。該開口の周辺の適宜な位置には接続部１１が設けられる。
【００１９】
該接続部１１は、複数セットからなり、上下に間隔をあけて且つ、位置をたがえて排列した長方形の凸ブロック１１０からなる。
【００２０】
また、ケース１の表面には設置空間１０に対応して矩形の取り出し口１２が設けられる。
【００２１】
底板２はＬ字状の長方形の板体で、長手方向両側には内側に向けて縮小した階段状の端縁部２０が形成され、ケース１の接続部１１と互いに対応しているため、底板２が開口に自由に押し引きして開閉することができる。
【００２２】
底板２は、一面の長手方向に円弧状の接続面２１が凹設され、表面に粘着材、両面接着剤２２が塗布される。
【００２３】
図３は、この考案を組み合わせた状態を示したものである。
【００２４】
引き出し式の付箋紙３は、長方形を呈し、複数枚の付箋紙を連続して上下に重ね、前後の位置を交互に重ねて部分的に粘着する方法で積み重ね一体にする。
【００２５】
よって、最も上方の一枚を引き出すと、次の一枚が引っ張られる。
【００２６】
付箋紙３は、ケース１の設置空間１０内に設けられる。
【００２７】
底板２は長手方向両側に内側へ狭まるように形成された階段状の端縁部２０を利用してケース１の開口周辺に形成された接続部１１に滑動して穿設される。
【００２８】
また、接続部１１の上下に間隔を設けて位置をたがえて排列して設けられた長方形の凸ブロック１１０は、底板２の端縁部２０と相互に嵌合して底板２が抜け落ちることを防ぐ。
【００２９】
その内、接続部１１は、上下に間隔を空けて排列した長方形の凸ブロック１１０を位置をたがえて排列して設け、底板２が比較的大きな傾斜角度で押入れ、或いは引き出して滑動させることができ、スムーズに滑動できないという状態が発生することを防ぐことができる。
【００３０】
上述のように、設置空間１０の開口をスムーズに閉じることができ、且つ付箋紙３が抜け落ちることを防ぐことができる。
【００３１】
同時に、付箋紙は最も上方の一枚がケース１表面の取り出し口１２から突出しているため、使用者が取り出して使用するために便利である。
【００３２】
図４、図５は、この考案の付箋紙座の実施形態を示したものである。
【００３３】
該底板２は、一面の長手方向の接続面２１を設けてなる。該接続面２１表面には粘着材、両面粘着材２２を塗布してペンの円形の桿体４と互いに貼着させることができる。
【００３４】
よって、文書作業の効率をさらに高めることができるとともに、ペンのカバー５上に設けて、ペンとともに身に着けておけば、いつでも取り出して使用することができ、高い使用効率を具えている。
【００３５】
上述の通り、この考案の組み立て方法及び操作方法はいずれも簡単で便利であって、一体に形成された付箋紙座に底板２を合わせて文房具上に設けることができるため実用的である。
【００３６】
書くために使用する文房具上に設けることができるため、必要なときに付箋紙３を探す必要がなく、使用、携帯に便利である。
【００３７】
また、文房具のペンに書く以外の用途を加えることができ、書きながらメモができ、メモを取り出して貼ることができて実用的である。
【００３８】
前述の組み合わせにより、文書作業の効率を更に高めることができる。また、カバー５上に設けて、ペンとともに身に着ければ随時使用することができて、使用効果を更に高めることができる。
【００３９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４０】
１                    ケース
１０                設置空間
１１                接続部
１１０            凸ブロック
１２                取り出し口
２                    底板
２０              端縁部
２１               接続面
２２               接着剤
３                   付箋紙
４                   桿体
５                   カバー
【図１】
0003164410.tif 000003
【図２】
0003164410.tif 000004
【図３】
0003164410.tif 000005
【図４】
0003164410.tif 000006
【図５】
0003164410.tif 000007